(57)【特許請求の範囲】
【請求項１】
連続な流れにおいて汚染物質（１００）を選別する方法であって、
汚染物質を供給点（Ａ）から選別点（Ｂ）まで第１のコンベヤによって運ぶステップと、
該汚染物質の放射能を、該供給点（Ａ）と該選別点（Ｂ）の間に配置され、その感受サイドが該第１のコンベヤの上側（ＦＳＵＰ）に向いている第１のセンサ（１４０）によって測定するステップと、
該汚染物質（１００）を該選別点（Ｂ）で選別装置（１３０）によって選別するステップとを備えた、連続な流れにおいて汚染物質（１００）を選別する方法において、
前記汚染物質を運ぶステップの前に、前記供給点（Ａ）の下流かつ前記第１のセンサ（１４０）の上流において、前記第１のコンベヤ（１２０）上の前記汚染物質（１００）の高さを調整するための機械的手段を設けるステップと、
第２のセンサ（１４１）によって該汚染物質の放射能を測定するステップ、該第２のセンサであって、感受サイドは該第１のコンベヤ（１２０）の上側（ＦＳＵＰ）に向いており、該供給点（Ａ）の上流に配置されているか、又は、感受サイドは該第１のコンベヤ（１２０）の下側（ＦＩＮＦ）に向いている、第２のセンサ（１４１）の測定値を該第１のセンサ（１４０）の測定値から引くことによる差分測定値を計算するステップと、
該選別ステップを、ある閾値と、該第１のセンサ（１４０）の測定値、又は該差分測定値、との比較の結果に従属させるステップと、を含むことを特徴とする方法。
【請求項２】
さらに、該第１のセンサ（１４０）の測定値を該閾値と比較するステップを含み、該差分測定値を計算するステップは、少なくとも該第１のセンサ（１４０）の測定値が該閾値よりも高くなったときに実施されることを特徴とする請求項１に記載の方法。
【請求項３】
該第１のコンベヤ（１２０）上に１セットの知られた位置（Ｐ）を定めるステップと、
前記１セットの知られた位置（Ｐ）の中の各位置（Ｐ）に対応する該第１のセンサ（１４０）の測定値、及び対応する該第２のセンサ（１４１）の測定値を結びつけるステップとをさらに含み、
該差分測定値を計算するステップは、前記１セットの知られた位置（Ｐ）の中の与えられた位置（Ｐ）についての該第２のセンサ（１４１）によって記録された測定値を、前記１セットの知られた位置（Ｐ）の与えられた位置（Ｐ）の同じ位置（Ｐ）について該第１のセンサ（１４０）によって記録された測定値から引くステップであることを特徴とする請求項１又は２に記載の方法。
【請求項４】
該第１のセンサ（１４０）及び該第２のセンサ（１４１）の少なくとも一つの測定値を空である状態の該第１のコンベヤ（１２０）の各位置と結びつけてメモリーに記録するという初期化のステップと、
該初期化ステップの測定値を、該第１のコンベヤ（１２０）がフルに負荷されているときの該第１のセンサ（１４０）の測定値から、又は、該差分測定値から、引くというステップと、をさらに含む請求項３に記載の方法。
【請求項５】
該第１のコンベヤ（１２０）のベルトをクリーニングするというステップをさらに含む請求項１〜４のいずれか１項に記載の方法。
【請求項６】
該選別装置（１３０）が次の２つの位置、すなわち、
該第１のセンサ（１４０）による測定値、又は該差分測定値が該閾値より高いときに第１の位置と、
該第１のセンサ（１４０）による測定値、又は該差分測定値が該閾値より低いときに第２の位置を選択的にとることができ、
該方法は、さらに、
該第１のセンサ（１４０）による測定値、又は該差分測定値が該閾値より高くなると予め該第１の位置をとるステップと、
該第１のセンサ（１４０）による測定値、又は該差分測定値が該閾値より低くなると遅らせて該第２の位置をとるステップの中の少なくとも一つのステップを含むことを特徴とする請求項１〜５のいずれか１項に記載の方法。
【請求項７】
さらに、該汚染物質（１００）を、該第１のコンベヤ（１２０）上に前記汚染物質を導入するより上流で機械的にフィルタするステップを含むことを特徴とする請求項１〜６のいずれか１項に記載の方法。
【請求項８】
請求項１〜７のいずれか１項に記載の方法を実施する役目をする汚染物質（１００）を選別する装置において、
実質的に水平な第１のコンベヤ（１２０）と、
少なくとも部分的に遮蔽され、感受サイドが該第１のコンベヤ（１２０）の上側（ＦＳＵＰ）に向いている第１のセンサ（１４０）と、
供給点（Ａ）の下流かつ前記第１のセンサ（１４０）の上流において設けられた、前記第１のコンベヤ（１２０）上の前記汚染物質（１００）の高さを調整するための機械的手段（１５０）と、
少なくとも部分的に遮蔽され、感受サイドが該第１のコンベヤ（１２０）の下側（ＦＩＮＦ）に向いている第２のセンサ（１４１）と、
少なくとも２つの位置を選択的にとることができる重力式選別装置（１３０）と、
該選別装置（１３０）の位置決めを、ある閾値と、第１のセンサ（１４０）の測定値、又は、該第２のセンサ（１４１）の測定値を該第１のセンサ（１４０）の測定値から引くことで得られる差分測定値、との間の比較の結果に従属させるように構成された計算手段とを含む装置。
【請求項９】
該第１のコンベヤ（１２０）と直列で、該汚染物質が重力によってそこに放出される第２のコンベヤ（１２１）と、
該第１のコンベヤ（１２０）の該供給点（Ａ）で該汚染物質が重力によってそこから放出される貯蔵及び供給装置（１１０）の中の少なくとも一つを備える請求項８に記載の装置。
【請求項１０】
該供給点（Ａ）の高さに比べて該汚染物質（１００）を持ち上げるために該第２のコンベヤ（１２１）は該第１のコンベヤ（１２０）の平面に対して正の角度で傾斜しており、該選別装置（１３０）は振子式ホッパーを含むことを特徴とする請求項９に記載の装置。
【請求項１１】
該第１のセンサ（１４０）が挿入されるケーシング（１４０１）であって、前記ケーシング（１４０１）は遮蔽されて前記第１のセンサ（１４０）の感受サイドを除く前記第１のセンサ（１４０）のすべてのサイドを保護し、前記第１のセンサ（１４０）の前記感受サイドは起こりうる打撃や汚れから保護する保護部材（１４０２）によって保護され、前記保護部材（１４０２）が遮蔽材である場合、その減衰係数は前記第１のセンサ（１４０）の他のサイドの遮蔽材の減衰係数よりも小さい、ケーシング（１４０１）と、
該第２のセンサ（１４１）が挿入されるケーシング（１４１１）であって、前記ケーシング（１４１１）は遮蔽されて前記第２のセンサ（１４１）の感受サイドを除く前記第２のセンサ（１４１）のすべてのサイドを保護し、前記第２のセンサ（１４１）の前記感受サイドは起こりうる打撃や汚れから保護する保護部材（１４１２）によって保護され、前記保護部材（１４１２）が遮蔽材である場合、その減衰係数は前記第２のセンサ（１４１）の他のサイドの遮蔽材の減衰係数よりも小さい、ケーシング（１４１１）の中の少なくとも一つを備える請求項８又は９に記載の装置。
【請求項１２】
該第１のコンベヤ（１２０）は、
前記第１のコンベヤ（１２０）の該上側（ＦＳＵＰ）と該下側（ＦＩＮＦ）の間に配置され、該第１のセンサ（１４０）の該感受サイドに向いている第１の遮蔽材（１２０１）と、
前記第１のコンベヤ（１２０）の該上側（ＦＳＵＰ）と該下側（ＦＩＮＦ）の間に配置され、該第２のセンサ（１４１）の該感受サイドに向いている第２の遮蔽材の中の少なくとも一つを備える請求項９〜１１のいずれか１項に記載の装置。
【発明の詳細な説明】
【技術分野】
【０００１】
本発明は放射性核種によって汚染された物質の選別という分野に関する。
【背景技術】
【０００２】
簡単のために、「汚染物質」という用語によって、少なくとも一つの放射性核種によって汚染された物質又は汚染される可能性がある、すなわち、汚染されそうな物質を、場合によっては汚染されていない物質と混合されたものを、意味する。
【０００３】
汚染物質は不均質である。一方において、それは放射性核種の含有量に関して不均質であり、２つの汚染物質のサンプルは、含有量ゼロの汚染されていないサンプルも含め、異なる含有量を有する可能性がある。他方において、それは性質に関して不均質である、例えば、物質は、砂、土、土壌、石、根、礫、コンクリート、米、小麦、泥、その他、シャベルですくうことができる有機又は無機の物質である可能性がある。このように、それは粒状性に関して何も制約がなく、固体であることも、こってりした物質であることもある。同様に、汚染物質の湿り、乾燥、及び水分含有量に関しても、シャベルですくうことができ、コンベヤ、特にベルトコンベヤで運ぶことができるという以外何も制限はない。
【０００４】
選別は、それ以後の汚染物質を処理するためのここでは述べない複雑な技術的手段によるステップの前に行われる。
【０００５】
したがって、処理すべき汚染物質の量は選別によって顕著に減らすことが可能である。
【発明の概要】
【０００６】
具体的に言うと、本発明は、その第１の目的では、汚染物質の連続な流れにおける選別方法であって、
第１のコンベヤによって供給点（Ａ）から選別点（Ｂ）へ汚染物質を運ぶステップと、
汚染物質の放射能を供給点（Ａ）と選別点（Ｂ）の間に配置された第１のセンサによって測定するステップであって、その感受サイドは第１のコンベヤの上側（ＦＳＵＰ）に向いている、ステップと、
選別点（Ｂ）で汚染物質を選別装置によって選別するステップと、を含む選別方法に関する。
【０００７】
本発明は、
第２のセンサによって汚染物質の放射能を測定するステップと、
第２のセンサの感受サイドは第１のコンベヤの上側（ＦＳＵＰ）に向いており、供給点（Ａ）の上流側に配置される、又は、第２のセンサの感受サイドは第１のコンベヤの下側（ＦＩＮＦ）に向いている、第２のセンサの測定値を第１のセンサの測定値から引いて差分測定値を計算するステップと、
選別ステップをある閾値と、第１のセンサの測定値、又は、差分測定値、との比較の結果に従属させるステップとをさらに含むことを特徴とする、
【０００８】
ある実施形態では、それはさらに第１のセンサの測定値を閾値と比較するステップを備え、差分測定値を計算するステップは少なくとも、第１のセンサの測定値が閾値よりも高くなるときに実施される。
【０００９】
ある実施形態で、本発明は、さらに、
第１のコンベヤ上の１セットの知られている位置（Ｐ）を定めるステップと、
各位置（Ｐ）に第１のセンサの対応する測定と第２のセンサの対応する測定を結びつけるステップと、
与えられた位置（Ｐ）で第２のセンサによって記録された測定値を同じ位置（Ｐ）で第１のセンサによって記録された測定値から引くことによる差分測定のステップとを備える。
ある実施形態では、本発明は、
少なくとも一つのセンサの測定値を第１の空のコンベヤの各位置（Ｐ）と結びつけてメモリーに記録する初期化ステップと、
初期化ステップの測定値を、第１のコンベヤがフルに負荷されているときの第１のセンサの測定値、又は差分測定値、から差し引くステップとさらに備える。
【００１０】
ある実施形態では、本発明は、さらに第１のコンベヤをクリーニングするステップを備える。
【００１１】
ある実施形態では、選別装置は、２つの位置、すなわち、
第１のセンサの測定値又は差分測定値が閾値よりも高いときに第１の位置、及び
第１のセンサの測定値又は差分測定値が閾値よりも低いときに第２の位置、を選択的にとることができ、
この方法は、さらに次のステップの少なくとも一つ、すなわち、
第１のセンサの測定値又は差分測定値が閾値よりも高くなるときに予め第１の位置をとるステップ、及び
第１のセンサの測定値又は差分測定値が閾値よりも低くなるときに遅れて第２の位置をとるステップ、の少なくとも一つを含む。
【００１２】
ある実施形態では、本発明は、さらに、第１のコンベヤに汚染物質を導入する上流側で、汚染物質を予備スクリーニングするステップを備える。
【００１３】
本発明の別の目的では、本発明は汚染物質を選別するための本発明の方法を実施する役目をする装置であって、
実質的に水平な第１のコンベヤと、
第１のコンベヤ上の汚染物質の高さを調整するための機械的手段と、
少なくとも一部が遮蔽され、感受サイドが第１のコンベヤの上側（ＦＳＵＰ）に向いている第１のセンサと、
少なくとも一部が遮蔽され、感受サイドが第１のコンベヤの下側（ＦＩＮＦ）に向いている第２のセンサと、
選択的に２つの位置をとることができる重力選別装置、及び、
選別装置の位置決めをある閾値と、第１のセンサの測定値、又は、第２のセンサの測定値を第１のセンサの測定値から引くことで得られる差分測定値、との比較の結果に従属させるように構成されたコンピュータ、を備える装置に関する。
【００１４】
ある実施形態で、本発明は、さらに、
第１のコンベヤと直列であり、そこに汚染物質が重力で放出される第２のコンベヤと、
供給及び貯蔵装置であって、そこから汚染物質を第１のコンベヤの供給点（Ａ）で重力によって放出することができる、供給及び貯蔵装置の少なくとも一つを備える。
【００１５】
ある実施形態では、供給点（Ａ）の高さに対して汚染物質を持ち上げるように第２のコンベヤは第１のコンベヤの平面に対して正の角度で傾斜し、選別装置は振子型のホッパーを備えることが規定されている。
【００１６】
ある実施形態では、さらに、
第１のセンサが挿入されるケーシングであって、前記ケーシングは遮蔽され、前記第１のセンサの感受面を除くすべてのサイドを保護し、前記第１のセンサの前記感受面は考えられる打撃や汚れから保護する保護部材によって保護され、前記保護部材が遮蔽材である場合、その減衰係数は前記センサの他のサイドの遮蔽材の減衰係数よりも小さい、ケーシングと、
第１のセンサが挿入されるケーシング、前記ケーシングは遮蔽され、前記第２のセンサの感受面を除くすべてのサイドを保護し、前記第２のセンサの前記感受面は考えられる打撃や汚れから保護する保護部材によって保護され、前記保護部材が遮蔽材である場合、その減衰係数は前記第２のセンサの他のサイドの遮蔽材の減衰係数よりも小さい、ケーシングの中の少なくとも一つが備えられる。
【００１７】
ある実施形態では、第１のコンベヤは、また、
前記第１のコンベヤの上側と下側の間に配置され、第１のセンサの感受面に向いている第１の遮蔽材と、
前記第２のコンベヤの上側と下側の間に配置され、第２のセンサの感受面に向いている第２の遮蔽材の中の少なくとも一つを備えるようになっている。
【００１８】
本発明によって、選別は簡単になり、重力で行われ、エネルギーに関して自律的であり、容易に使用でき、多目的である。
【００１９】
本発明のその他の特徴と利点は、添付図面を参照して説明のための非制限的な例として示される以下の記述を読むことによってさらに明らかになるであろう。
【図面の簡単な説明】
【００２０】
【図１】図１は、本発明に係わる装置のある実施形態を示す側面図である。
【図２】図２は、本発明に係わる装置のある実施形態を示す上面図である。
【図３】図３は、本発明に係わるセンサの位置決めのある実施形態を示す図である。
【図４】図４は、送出コンベヤの部分分解図における第１のセンサの立体角を示す図である。
【図５】図５は、送出コンベヤの位置Ｐと追従コンベヤの位置Ｐ’の間の対応を示す。
【図６】図６は、追従コンベヤの上面図における位置Ｐ１’と基準位置Ｐ’ｒefを隔てる距離Ｄ１’を示す。
【発明を実施するための形態】
【００２１】
図で、太い矢印は移動方向を表す。
【００２２】
図１には、汚染物質１００の選別のための装置のある実施形態が示されている。
【００２３】
汚染物質１００は、一つ又はいくつかの連続した供給システム、例えばコンベヤ・ベルトから、又は不連続な仕方で、例えば、建築現場の機械（図示せず）から、そこへ運ばれる。それらは貯蔵及び供給装置１１０に放出される。
【００２４】
貯蔵及び供給装置
好適な形では、貯蔵及び供給装置１１０は、場合によって少なくとも部分的に遮蔽されており、第１のコンベヤ１２０の上に位置している。好ましくは、貯蔵及び供給装置１１０は汚染物質１００を第１のコンベヤ１２０の上側ＦＳＵＰに規則的に実質的に一定の流量で供給することを可能にし、かつ緩衝容量も有する。このためにはホッパーが好ましい。ホッパーは、その形だけからしてもこの２つの特性を有し、コンベヤへの汚染物質の供給を調節するためのコントロール手段を、例えばコントロールされる弁という形で使用する必要がなくなる。しかし、このようなコントロール手段は本発明の範囲から排除されない。この例では、ホッパー１１０は手動でコントロールされる開放装置、例えば手動の弁、を備える。動作時には、手動の弁は好ましくは最大開放位置で開いたままにする。第１のコンベヤ１２０に問題がある場合、手動弁の全部又は一部を閉じるようにすることができる。
【００２５】
ホッパー１１０は第１のコンベヤ１２０に汚染物質１００を重力によって供給する。
【００２６】
第１のコンベヤへの汚染物質の出力は前記第１のコンベヤ１２０のスピードによって実質的に規制され、ホッパーの開口の等価直径がホッパー１１０からコンベヤ１２０への汚染物質の供給出力に影響する。
【００２７】
コンベヤ
標準として、以下のように定義する。
「供給点」Ａ、汚染物質がコンベヤ１２０に放出される場所、
「選別点」Ｂ，汚染物質が選別装置によって選別される場所、そして
「コンベヤ」、少なくとも一つのコンベヤ、特にベルトコンベヤ、のアセンブリであって、供給点から選別点までの汚染物質の輸送を可能にする。
【００２８】
この例では、供給点Ａと選別点Ｂの間で、汚染物質１００は送出機（extractor）と呼ばれる第１のコンベヤ１２０によって運ばれ、これは好ましくは実質的に水平、すなわち水平又はわずかに傾斜して、すなわち水平に対して好ましくは１０°より小さな角度で傾斜して，測定の処理を簡単にし、汚染物質が供給点の上流へ放出される危険を減らす。
【００２９】
第１のコンベヤ１２０の終点で、汚染物質は追従コンベヤと呼ばれる第２のコンベヤ１２１に重力によって放出される。この例では、第２のコンベヤ１２１はリフティング・コンベヤである、すなわち、第１のコンベヤ１２０の平面に対して正の角度で傾斜し、汚染物質１００を供給点の高さよりも高く持ち上げて、選別装置１３０にそれを放出できるようにするもので、以下で述べるような重力を利用する選別装置１３０にとって有利になる。
【００３０】
コンベヤの数、及び可能な第２のコンベヤの傾斜角は、例えば以下の要因、コンベヤの長さ、汚染物質のタイプ、利用できるスペース、及び使用する場所の地面の形態、の少なくとも一つによって決まる。ここでは、簡単のために、実質的に水平な地面だけを考える。この場合、第１のコンベヤ１２０と第２のコンベヤ１２１は輸送コンテナの平坦な底板上に配置される。
【００３１】
好ましくは、供給点Ａと後述する第１のセンサ１４０の間に、第１のコンベヤ１２０上の汚染物質１００の高さを調整するための機械的手段、この場合は機械的リミッタ１５０，が設けられる。このようなリミッタは、単純で、堅固で、容易にクリーニングでき、エネルギーを使わないという利点がある。
【００３２】
選別装置
選別点Ｂで、汚染物質１００はその放射性核種含有量に応じて選別装置１３０によって自動的に選別される。選別は後述する放射性核種含有量の測定に従って行われる。
【００３３】
好ましくは、非常に速やかな選別を行うことができる二元（binary）選別装置が設けられる。例えば、選別装置は、好ましくは空気圧式の振子式ホッパー１３０を備え、それは選択的に２つの位置をとることができる。このようなホッパーの反応の速さ、すなわち一方の位置から他方の位置へ動く時間、は１秒未満であり、非常に速い選別ペースを実現できる。
【００３４】
簡単にするために、ここでは二元（binary）選別だけを、この特定の場合は閾値との比較による二元選別で説明する。しかし、既に述べたと同じ原理に基づいた、例えば２つの閾値との比較による三元（ternary）選別を実施することもできる。もっと一般的に、Ｎ−１個の閾値との比較でＮ個の規準による多元選別を実施することもできる。
【００３５】
振子式ホッパー１３０が一つの位置にあるとき、汚染物質１００は重力によって地面に、又は第１の供給装置に、又は第１の放出コンベヤ１２２に、放出されるようにし、振子式ホッパー１３０が別の位置にあるとき、汚染物質１００は重力によって地面に、又は第２の供給装置に、又は第２の放出コンベヤ１２３に、放出されるようにすることができる。例えば、放出コンベヤ１２２、１２３はベルトコンベヤである。
【００３６】
振子式ホッパー１３０は、少なくとも一つのシャフトに取り付けられた静止アセンブリと移動アセンブリを備える。シャフトのまわりの回転で移動部分を操作して、汚染物質を選択的に一方の位置また他方の位置に（二元選別の場合）向けることができる、すなわちこの特定の場合では、放出コンベヤ１２２又は放出コンベヤ１２３のいずれかに向けることができる。この操作は、例えばソレノイド弁によってコントロールされる空気圧ジャッキで行われる。振子式ホッパー１３０の位置、したがってその可能な振り替え操作は、汚染物質１００の放射性核種含有量の測定値をある閾値と比較して決定される。
【００３７】
ある実施形態では、２つの放出コンベヤ１２２，１２３が少なくとも一つの回転軸での回転で、好ましくは折りたたむことができ、輸送中は送出コンベヤ１２０及び追従コンベヤと平行に位置し、使用するときに広げられるように取り付けられることになっている。
【００３８】
図２で、輸送位置は点線で、使用位置は実線で示されている。動作位置で、放出コンベヤと送出コンベヤ又は追従コンベヤとの間の角度は何であっても、９０°より大きくても小さくてもよい。しかし、好ましくは、放出コンベヤ１２２，１２３はコンベヤ１２０，１２１の軸に対して直角方向にあり、互いに反対の方向に伸びている。
【００３９】
別の実施形態では、２つの放出コンベヤ１２２，１２３は図示されていないピン、ヒンジ、及び位置決めピンのセットによって着脱可能に取り付けられ、それによってまた、輸送時のコンベヤ１２０，１２１，１２２，１２３のセットのかさ（bulk）を最適化することができる。
【００４０】
第１のセンサ
供給点Ａと選別点Ｂの間で、汚染物質の放射能が、「測定センサ」と呼ばれる第１のセンサ１４０又は検出器によって、例えばガンマ線検出器によって、測定される。
【００４１】
好ましくは、第１のセンサ１４０の感受サイドは第１のコンベヤ１２０のベルトと平行でその上側ＦＳＵＰに向いている。
【００４２】
第１のセンサ１４０の感受面によって、図３にきわめて概略的に示されている予め定められたある立体角で放射線を検出することが可能になる。
【００４３】
何も特別な用心をしなければ、第１のセンサはコンベヤの上にある汚染物質の放射能だけでなく、放射距離にあるすべての放射性の源の放射能も、例えば地面自身によって（天然の地球放射線）、地面にたまった汚染物質によって、ホッパーによって放出される放射線、又は宇宙線の放射能も、これらの放射源の感受面に対する位置関係やセンサの立体角に関わりなく測定される。
【００４４】
測定の信頼性を高め、バックグラウンド雑音（寄生カウント）を減らすために、第１のセンサ１４０を遮蔽するようにすることが好適である。
【００４５】
ある実施形態では、第１のセンサ１４０の感受面を大気に開放してセンサの少なくとももう一つのサイドを遮蔽する、又はセンサの他のすべてのサイドを遮蔽するようにする。
【００４６】
ある実施形態では、図３を参照して、第１のセンサ１４０の感受面を保護部材１０４２によって保護し、センサの少なくとももう一つのサイドを遮蔽する、又はセンサの他のすべてのサイドを遮蔽するようにする。例えば、起こりうる打撃や汚れから保護するために、プレート、特に金属の、例えばステンレス鋼のプレートが設けられる。
【００４７】
ある実施形態では、保護部材１４０２は放射線遮蔽材であると規定される。それは第１のセンサ１４０のすべてのサイドを遮蔽するように設けられる。この場合、好ましくは、第１のセンサ１４０の感受面に向いている遮蔽材の減衰係数は、他のサイドの遮蔽材の減衰係数より小さくなるように設けられる。例えば、第１のセンサ１４０をケーシング１４０１に挿入するようにして設けられる。
【００４８】
図３で、遮蔽材１４０１の斜線は、遮蔽材の厚さが感受面の保護部材１４０２の太線部分の厚さよりも大きいことを示している。あるいはまた、又は組み合わせて、第１のセンサ１４０の感受面に向いている遮蔽に用いる物質は、ケーシング１４０１の他の部分の遮蔽に用いる物質と異なるようにすることもできる。ケーシング１４０１はさらに、オプションとして側面１４０３を、この例では第１のコンベヤ１２０の上側ＦＳＵＰに対して直角方向に、設け、それによりセンサ１４０の立体角を小さくして側方からの迷走放射線から保護するようにすることができる。
【００４９】
遮蔽の実施形態が何であれ、第１のセンサ１４０の立体角に放出された放射線だけが検出されるようにすることが好ましい。そうすれば、例えば処理すべき汚染物質が大量である場合、汚染物質が第１のセンサの近くに（選別前も選別後と同様に）置かれても、測定がバックグラウンド雑音によって歪められないようにすることができる。
【００５０】
第１のセンサ１４０は、好ましくはコンベヤの長さの全体がその立体角でカバーされるような予め定められた位置を選んで配置されることが好ましい。例えば、ある予め定められた立体角に対して第１のコンベヤ１２０の上面と第１のセンサ１４０の感受面の間の高さＨ１を調整することができる。センサ１４０をこの予め定められた高さＨ１に前もって調整するか、又はオペレータが第１のセンサ１４０をこの動作位置に、予め調整された図示しない固定手段によって位置決めすることが可能であるようにする。高さＨ１は、機械的リミッタ１５０が配置された高さ以上とする。
【００５１】
しかし、汚染物質の一部がコンベヤ・ベルト１２０，１２１上にかたまって残り、第１のセンサが無意味な測定値を示す恐れがある。
【００５２】
有利な形として、第２のセンサが設けられる。
【００５３】
第２のセンサ
好ましくは、第２のセンサ１４１の感受サイドは第１のコンベヤ１２０のベルトと平行で、その下側ＦＩＮＦに向いている。
【００５４】
例えば、第２のセンサ１４１はすべての点で第１のセンサ１４０と同一である。
【００５５】
同様に、第２のセンサ１４１も遮蔽材によって遮蔽される。第２のセンサ１４１も第１のセンサ１４０の遮蔽と同様に、遮蔽されたケーシング１４１１内に組み込むことができる。
【００５６】
第２のセンサ１４１の感受面を保護部材１４１２によって保護し、センサの少なくとももう一つのサイド又は他のすべてのサイドを遮蔽することができる。例えば、プレート、特に金属の、例えばステンレス鋼のプレートを設けて、起こりうる打撃や汚れから保護することができる。
【００５７】
保護部材１４１２も遮蔽材である。普通、この場合、第２のセンサの感受面の遮蔽材の減衰係数は、第２のセンサの他のサイドの遮蔽材の減衰係数よりも小さい。ケーシング１４１１は、さらにオプションとして（図示しない）側面を備え、それによって第２のセンサ１４１の立体角を小さくし、側方からの迷走放射線から保護できるようにしてもよい。
【００５８】
好ましくは、第２のセンサ１４１の感受サイドは第１のセンサ１４０の感受サイドと平行でそれに向いている。
【００５９】
好ましくは、第２のセンサ１４１は、もっぱら第１のコンベヤ１２０の下側ＦＩＮＦにかたまって残った汚染物質１０１の残渣のランダムな変動（バックグラウンド雑音）と放射能を測定するように構成される、すなわち、第１のコンベヤ１２０の上側ＦＳＵＰ上で第１のセンサ１４０によって測定される放射能は第２のセンサ１４１によって同時に測定されないように構成される。
【００６０】
第２のセンサ１４１は、第１のコンベヤ１２０の下側ＦＩＮＦに対して、好ましくはコンベヤの幅全体をその立体角でカバーするように予め定められた位置に配置される。例えば、予め定められた立体角に対して、第１のコンベヤ１２０の下面と前記第２のセンサ１４１の感受面の間で高さＨ２を調整することができる。第２のセンサ１４１をこの予め定められた位置に前もって調整すること、又はオペレータが第２のセンサ１４１をこの動作位置に、予め調整された図示しない固定手段によって位置決めすることが可能であるようにする。高さＨ２は高さＨ１と異なってもよい。第２のセンサ１４１の立体角は第１のセンサ１４０の立体角と異なってもよい。
【００６１】
第１のコンベヤの遮蔽
汚染物質の（数ミクロンの等価直径の）小さな残渣であっても第１のセンサ１４０又は第２のセンサ１４１に見えるほどの放射線を放出できる。
【００６２】
第１のコンベヤ１２０に対して遮蔽材１２０１を、この例ではプレートの形で設けることが好ましい。遮蔽材は、第１のコンベヤ１２０の上側ＦＳＵＰと下側ＦＩＮＦの間に配置され、第１のセンサ１４０の感受面に向いている。図３に示されるように第１のセンサ１４０と第２のセンサ１４１が互いに向き合っているとき、一つのジョイント遮蔽材１２０１を用いることができる。普通、第２のセンサ１４１が第１のセンサ１４０に対してずれている場合、第２のセンサ１４１に向いて第１のコンベヤ１２０の上側ＦＳＵＰと下側ＦＩＮＦの間に配置された第２の遮蔽材（図示せず）によって第１のコンベヤ１２０を遮蔽することが好ましい。
【００６３】
遮蔽材１２０１によって、第１のコンベヤ１２０の上側ＦＳＵＰへの汚染物質１０１の放射能の第２のセンサ１４１による検出を制限することが可能になる。逆に、第１のコンベヤ１２０の下側ＦＩＮＦ上にかたまった汚染物質１０１の残渣の放射能の第１のセンサによる検出を制限することが可能になる。このように、遮蔽材１２０１は各センサ１４０，１４１を切り離すことを可能にする。
【００６４】
第１のコンベヤ１２０の遮蔽材１２０１は第１のセンサ１４０の立体角（solid view angle）と第２のセンサの立体角の間に介在させることができる。
【００６５】
第１のセンサ１４０と第２のセンサ１４１はコンベヤ１２０と平行な平面に関して、この例では水平で第１のコンベヤ１２０の遮蔽材を通る平面に関して、面対称に設けることができ、それによってコンベヤ１２０に単一の遮蔽材を用いることが面倒にならない。しかし、対称性は不可欠ではない。高さＨ１が高さＨ２と異なるように、ケーシング１４０１と１４１１の形が異なるように、あるいはセンサ１４０とセンサ１４１の視野角（view angle）が異なるように設けることができる。
【００６６】
各センサ１４０，１４１及び該位置のコンベヤ１２０の遮蔽は天然（宇宙線及び地球の）及び人工（汚染物質）の線量のアウトプットに応じた減衰を考慮に入れる。言い換えると、宇宙と地球の放射線による天然のバックグラウンドが測定に組み込まれる。第２のセンサ１４１による放射能の検出は、第１のコンベヤ１２０のベルトの下側ＦＩＮＦの汚染物質１０１の残渣による汚染に又は異常に対応する。
【００６７】
例えば、各センサ１４０，１４１及び第１のコンベヤ１２０の遮蔽として、密度の高い物質（鋼、鉛、タングステン、等）のプレートの組を設けることができる。この物質の性質と厚さは、例えば、周囲の又は測定された放射能のレベル、又は決定された減衰係数に応じて選ぶことができる。例えば、厚さ５ｃｍの鋼板を設置することができる。
このように、単数又は複数の遮蔽材によって、静的な、場合によって時間的に変化するバックグラウンド雑音を生み出す危険がある、特に汚染物質のストックが付近に貯蔵されている場合にその危険がある実施状況に関係した放射線（宇宙、地球の放射線、又は近辺の汚染物質からの放射線）を減らすことができる。
【００６８】
ベルトのクリーニング
第１のコンベヤのベルトを、連続的にクリーニングするように定めることができる。
【００６９】
実施することはかなり難しいが、洗浄手段を設けることができる。
【００７０】
第１のコンベヤ１２０のベルトを機械的にかき取るようにして、汚染物質の残渣が下側ＦＩＮＦに存在する危険を減らし、そこに物質がたまるのを制限することができる。このために、公知のベルトかき取り手段、例えばスプリングに支持された懸架プレート、が設けられる。
【００７１】
動作
センサ１４０，１４１は当業者に公知である。
【００７２】
好ましくは、連続流れ動作を可能にして大量の汚染物質の選別を可能にする。
【００７３】
動作時、汚染物質１００は供給ホッパー１１０から第１のコンベヤ１２０によってその上側で送出される。汚染物質はリミッタ１５０の下を通り、第１のセンサ１４０の立体角に入ってその放射能が測定される。放射能測定の時間に関するピッチは１秒より短く、０１秒以上であることが好ましい。
【００７４】
次に、汚染物質１００は第１のコンベヤ１２０から第２のコンベヤ１２１の上側に放出される。第２のコンベヤ１２１は傾斜しており、汚染物質１００を供給点Ａの高さよりも高く運ぶことが可能になるが、この高さはいろいろな因子、特に人の高さによって決められ、組立／解体、クリーニングとメンテナンス、を容易にすることが好ましく、例えば地面に対して１から１．５ｍの高さに決められる。次に、汚染物質１００は重力によって、選別装置に、この例では２つの位置の間で選択的に振れる振子式ホッパーに放出される。
【００７５】
第１のコンベヤ１２０と第２のコンベヤ１２１の移動速度はそれらの幅に依存することがある。例えば、第１のコンベヤ１２０と第２のコンベヤ１２１の幅は実質的に同じで、１ｍのオーダーである。
【００７６】
第１のコンベヤ１２０と第２のコンベヤ１２１の移動速度は時間的に一定していることが好ましい。好ましくは、コンベヤの移動速度は幅に依存する。単なる例であるが、第１のコンベヤ１２０の移動速度は０．１から１ｍ／ｓの間にある。
【００７７】
コントロール
前に述べたように、選別点Ｂで、振子式ホッパー１３０の位置により、汚染物質１００はその出口で第１の放出コンベヤ１２２，又は第２の放出コンベヤ１２３に放出される。例えば、第１の放出コンベヤ１２２は放射能が閾値よりも低い物質を取り出すために用いられ、第２の放出コンベヤ１２３は放射能が閾値よりも高い物質を取り出すために用いられるようにする。
【００７８】
振子式ホッパー１３０の位置、すなわち、その傾き方は、少なくとも第１のセンサ１４０の測定に従属するようになっている。
【００７９】
普通、第１のセンサ１４０の測定値がメモリーに記憶された、好ましくはパラメータ化された、閾値と比較される。比較の結果によって、振子式ホッパー１３０は選択的に、比較の結果がポジティブであれば、この場合は傾くことによって一方の位置に向けられ、比較の結果がネガティブであれば、この例では他方の位置に向けられる。閾値はまた、選別設定点とも呼ばれる。
【００８０】
第１のコンベヤ１２０のコンベヤ・ベルトに電離性の汚染物質１０１の一部又は残渣が付着して残った場合、通過する度にその放射線が第１のセンサ１４０によって測定され、測定を無意味（irrelevant）にしてしまう危険がある。
【００８１】
そのため、第２のセンサ１４１の測定値を第１のセンサ１４０の測定値から引くことによって差分測定値を得るようにする。こうして、振子式ホッパー１３０の位置、すなわち、その傾き方を、さらに第２のセンサの測定に、この例では差分測定値に、従属させることができる。
【００８２】
差分測定
第２のセンサ１４１と環境の位置関係によって、第２のセンサ１４１は第１のセンサと実質的に同じ源に関係した同じバックグラウンド雑音を測定できる。実際には、これは必ずしもその通りにはならない。
【００８３】
第１のセンサ１４０と第２のセンサ１４１の間の差分測定は第１のセンサ１４０の測定値が閾値よりも高くなった場合にのみ実施されるように定めることができる。
【００８４】
好ましくは、差分測定は次のような仕方で行うと定めることができる。
【００８５】
第１のセンサ１４０と第２のセンサ１４１はそれぞれ測定を、好ましくは連続的に、実行する。
【００８６】
第１のコンベヤ１２０上で、一組の既知の位置Ｐを、例えばエンコーダによって、この例ではエンコーダ・ディスクによって、定めることができる。
【００８７】
図４には、２つの引き続く位置Ｐ１とＰ２だけが示されており、第１のコンベヤ上で第１の位置Ｐ１と第２の位置Ｐ２を隔てる距離は、好ましくは進行方向での第１のセンサ１４０の測定のピッチに対応する。例えば、距離で表される測定ピッチは数センチメートルのオーダーである。
【００８８】
第１のコンベヤ１２０の上側ＦＳＵＰは物質１００を含み、その放射能は第１のセンサ１４０によって測定され、コンピュータに結合したメモリーに記録される。すなわち、それはこの測定に対応する位置Ｐと結びつけられて、第１のセンサ１４０の測定値／位置Ｐという数値ペアがメモリーに生成される。
【００８９】
動作時、汚染物質は第１のコンベヤ１２０上で移動し、第２のコンベヤ１２１に放出される。位置Ｐ（Ｐ１次にＰ２）は、これで第１のコンベヤ１２０の下側ＦＩＮＦに移る。
【００９０】
第２のセンサ１４１も、同様に、第１のコンベヤ１２０の下側ＦＩＮＦ上のありうる残渣物質１０１０の放射能を測定し、コンピュータに結合したメモリーに記録する。
【００９１】
それはこの測定値に対応する位置Ｐと結びつけられて、第２のセンサ１４１の測定値／位置Ｐという第２の数値ペアが生成される。
【００９２】
距離で表された第２のセンサ１４１の測定ピッチは第１のセンサ１４０の測定ピッチと異なってもよい。
【００９３】
こうして、同じ与えられた位置Ｐについて第１のセンサ１４０と第２のセンサ１４１の測定値が知られる。したがって、差分測定を実行できる。このためには、第１及び第２の数値ペアに基づいて、コンピュータに結合されたメモリーに記録された与えられた位置Ｐでの放射能の第２のセンサ１４１による測定値が、同じ位置Ｐでの第１のセンサ１４０による測定値から引かれる。
【００９４】
例をあげると、第１のセンサ１４０によって得られた測定値が閾値よりも高いが、差分測定値が閾値よりも低い場合、それは一方では残渣が多分第１のコンベヤ１２０にくっついて残っていたということ、他方ではホッパーに到着した対応する量の汚染物質は、実は放射能が閾値よりも低い物質から成るということを意味する。したがって、振子式ホッパー１３０は、対応する放出コンベヤの方に、この例では第１の放出コンベヤ１２２の方に振れる。もし振子式ホッパー１３０がすでにこの位置にあれば、それはそのまま維持される。
【００９５】
同様に、第２のコンベヤ１２１でも、一組の既知の位置Ｐを、例えばエンコーダによって、この例ではエンコーダ・ディスクによって、定めることができる。第１のコンベヤ１２０上の与えられた位置Ｐと第２のコンベヤ１２１上の対応する位置Ｐ’の間には対応がある。例えば、図５で、第１のコンベヤ１２０上の位置Ｐ１における物質は同じコンベヤ１２１上の点Ｐ１’に放出され、Ｐ２とＰ２’でも同様である。
【００９６】
位置Ｐ’は知られているので、ホッパー１３０は、前記位置Ｐ１’を基準位置Ｐ’refから隔てる距離Ｄ１’でコントロールすることができ、この基準位置Ｐ’refは例えば第２のコンベヤの終点に対応する、すなわち、選別点Ｂ又は上流の点での振子式ホッパー１３０の位置に対応する。例えば、振子式ホッパー１３０が第１の放出コンベヤ１２２の方に傾いているが、放射能の測定値、場合によっては差分測定値、が第２の放出コンベヤ１２２の方に傾けなければならないことを示している場合、位置Ｐ１’が基準位置Ｐ’refに到達するとすぐに振子式ホッパー１３０を傾けるようになっている。
【００９７】
好ましくは、汚染のリスクを減らすことを可能にする増強アプローチ、図６を見よ、がとられる。
このために、
測定値、場合によっては差分測定値、が閾値よりも高くなっているとき、振子式ホッパー１３０を前もって傾ける、すなわち、位置Ｐ１’が基準位置Ｐ’refの上流側の基準位置Ｐ’ref１に到達するとすぐに振子式ホッパー１３０を傾けるようにすることができる、
測定値、場合によっては差分測定値、が閾値よりも低くなっているとき、振子式ホッパー１３０を遅らせて傾ける、すなわち、位置Ｐ１’が基準位置Ｐ’refの下流側の基準位置Ｐ’ref２に到達したときに振子式ホッパー１３０を傾けるようにすることができる。
【００９８】
したがって、非汚染物質が選別されて汚染物質と見なされる可能性があるが、その逆はない。
【００９９】
既に述べたように、振子式ホッパー１３０の位置を位置Ｐ，Ｐ’によってコントロールすることが好ましい。
【０１００】
あるいはまた、第２のコンベヤ１２１の長さと移動速度も知られているので、コンピュータによって位置Ｐ１’が第２のコンベヤ１２１の下流端（振子式ホッパー１３０）となる時間を計算し、振子式ホッパー１３０の位置を時間によってコントロールすることができる。
【０１０１】
コンピュータは、センサ１４０と１４１からのデータによって選別装置１３０の位置をコントロールするための手段である。コンピュータは、プログラムできるＩＴツール、プロセッサ、マイクロプロセッサ、中央処理装置、などのどんなタイプであってもよい。
【０１０２】
時間でなく位置によってコントロールすることの利点は、コンベヤ１２０，１２１を停止させなければならない場合であっても、位置は依然として知られており、振子式ホッパー１３０への汚染物質の到着時間だけが変わるということにある。
【０１０３】
さらに、第１のコンベヤ１２０上の位置は知られており、コンベヤ１２０の幅は知られており、汚染物質は実質的にこの幅の全体をカバーし、その高さは知られており、実質的に機械的リミッタ１５０の高さに等しいので、第１のセンサ１４０の下を通る汚染物質のサンプルの体積を計算できる。このサンプルの体積はさらに、例えば機械的リミッタ１５０の高さ又は第１のセンサ１４０の立体角を変えることによって選ぶことができる。これは第２のセンサ１４１にもあてはまる。
【０１０４】
エネルギー供給
好ましくは、発電機セットを設置して、コンベヤ１２０，１２１，１２２，１２３，センサ１４０，１４１，及びコンピュータというセットの全部又は一部に電力を供給し、振子式ホッパー１３０に圧縮空気を供給するコンプレッサに電力を供給できるようにする。電力の調節及び制御のためのキャビネットを備えることもできる。
【０１０５】
自律性
供給ホッパー１１０，供給ホッパー１１０に対して位置決めされた第１のコンベヤ１２０，第２のコンベヤ１２１，振子式ホッパー１３０、及び第１の放出コンベヤ１２２と第２の放出コンベヤ１２３を含む選別システムは、取り外して、輸送コンテナ（普通、４０フィートの）で輸送できるように構成することが有利になる。その体積によっては、発電機セットは第２の輸送コンテナで輸送することができる。
【０１０６】
発電機セットがあれば、選別システムはプラグへのアクセスがあるかどうかに関わりなく、どこにでも展開配置できる。
【０１０７】
動作時、選別システムは輸送コンテナの底で展開できる。
【０１０８】
選別システムをわずか数時間で展開できると有利である。
【０１０９】
汚染物質を第１のコンベヤ１２０に導入する上流側で、例えば、供給ホッパーへの入口で（普通は、バー・レイリング（bar railing）又はスクリーニングによって）機械的にフィルタすることで予備スクリ−ニングするステップを設けて、選別の効率を高めることができる。この例では、供給ホッパーの上部に傾斜グリッドが設けられている。
【０１１０】
本発明によって、毎時１００トンを超える汚染物質を選別することが可能である。
【０１１１】
初期化
少なくとも第１のコンベヤを空にする初期化又はキャリブレーションのステップを設けることができる。
【０１１２】
ある実施形態では、第１のコンベヤ１２０−物質１００が負荷されていない状態で−は動いていても停止していてもよいが、センサ１４０，１４１の少なくとも一つの測定値をメモリーに記録するようにする。動いている場合、そのベルトの少なくとも完全な１回転について測定を行うようにすることが好ましい。
【０１１３】
この実施形態では、測定を位置Ｐと結びつける必要はない。これによって、周辺放射線、典型的には地球及び宇宙からのもの、を測定できる。
【０１１４】
別の実施形態では、センサ１４０，１４１の少なくとも一つの測定値を第１の空のコンベヤ１２０の位置Ｐと結びつけて記録するようにする。これによって、第１のコンベヤ１２０上にあり得る残渣１０１の放射線を測定できる。
【０１１５】
第１のコンベヤに負荷したときの第１のセンサの測定値から、又は前述したような差分測定値から、初期化ステップでの２つの実施形態のいずれかの測定値を引くと定めることができる。
【０１１６】
初期化ステップは、第１のコンベヤ１２０によって物質が送出される前に、例えば最初の実施の間に、来てもよい。第１のコンベヤがすでに汚染物質を運んでいたら、それを空にし、洗浄するようにする。
【０１１７】
初期化ステップによって、第１のコンベヤに負荷したときに、グローバルなバックグラウンド雑音を測定に組み込むことができる。汚染物質が第１のコンベヤから放射距離のところに貯蔵され、規則的にストックされている場合、各供給で初期化ステップを実施し、バックグラウンド雑音の時間的な経過を考慮に入れることができるようにすることが好ましい。
【図１】
0006272650.tif 000002
【図２】
0006272650.tif 000003
【図３】
0006272650.tif 000004
【図４】
0006272650.tif 000005
【図５】
0006272650.tif 000006
【図６】
0006272650.tif 000007